(57)【要約】【課題】第三者に再生させたくないコンテンツの再生を簡易に制限できる端末装置を提供する。【解決手段】本端末装置は、記録部と制御部とを備える。記録部は、記録操作を行った操作者から取得した特徴情報と記録操作によって記録されたコンテンツとを関連付けて記録する。制御部は、記録されたコンテンツの再生を要求されると、要求者の特徴情報と一致する特徴情報に関連付けられたコンテンツを再生する。【選択図】図１０
2018128958.tif 000002
【特許請求の範囲】
【請求項１】
記録操作を行った操作者から取得した特徴情報と前記記録操作によって記録されたコンテンツとを関連付けて記録する記録部と、
前記記録されたコンテンツの再生を要求されると、要求者の特徴情報と一致する特徴情報に関連付けられたコンテンツを再生する制御部と、を備える、
端末装置。
【請求項２】
前記制御部は、前記記録されたコンテンツが記録されてから一定時間経過すると、前記記録されたコンテンツに関連付けられた前記特徴情報を削除する、
請求項１に記載の端末装置。
【請求項３】
前記端末装置の背面に設けられた第１のカメラと、
前記端末装置の正面に設けられた第２のカメラと、を更に備え、
前記コンテンツは、前記第１のカメラによって撮影された画像であり、
前記特徴情報は、前記画像の撮影時に前記第２のカメラによって撮影された撮影者の顔を含む写真から抽出される情報である、
請求項１または２に記載の端末装置。
【請求項４】
前記制御部は、前記記録されたコンテンツの再生を要求されると、前記第２のカメラに前記要求者の顔を含む写真を撮影させ、前記撮影させた写真から前記要求者の特徴情報を抽出する、
請求項３に記載の端末装置。
【請求項５】
コンピュータが、
記録操作を行った操作者から取得した特徴情報と前記記録操作によって記録されたコンテンツとを関連付けて記録し、
前記記録されたコンテンツの再生を要求されると、要求者の特徴情報と一致する特徴情報に関連付けられたコンテンツを再生する、
情報処理方法。
【請求項６】
コンピュータに、
記録操作を行った操作者から取得した特徴情報と前記記録操作によって記録されたコンテンツとを関連付けて記録させ、
前記記録されたコンテンツの再生を要求されると、要求者の特徴情報と一致する特徴情報に関連付けられたコンテンツを再生させる、
情報処理プログラム。
【請求項７】
端末装置において記録操作を行った操作者の特徴情報と前記記録操作に応じた前記端末装置によって取得されたコンテンツとを含み、前記コンテンツの格納を要求する格納要求を前記端末装置から受信する受信部と、
受信した前記格納要求に含まれる前記特徴情報と前記コンテンツとを関連付けて記録する記録部と、
前記記録されたコンテンツの再生を要求する要求者の特徴情報を含み、前記記録されたコンテンツの再生を要求する再生要求を受信すると、前記要求者の特徴情報と一致する特徴情報に関連付けられたコンテンツを前記再生要求の送信元装置に返送する返送部と、を備える、
情報処理装置。
【請求項８】
コンピュータが、
端末装置において記録操作を行った操作者の特徴情報と前記記録操作に応じた前記端末装置によって取得されたコンテンツとを含み、前記コンテンツの格納を要求する格納要求を前記端末装置から受信し、
受信した前記格納要求に含まれる前記特徴情報と前記コンテンツとを関連付けて記録し、
前記記録されたコンテンツの再生を要求する要求者の特徴情報を含み、前記記録されたコンテンツの再生を要求する再生要求を受信すると、前記要求者の特徴情報と一致する特徴情報に関連付けられたコンテンツを前記再生要求の送信元装置に返送する、
情報処理方法。
【発明の詳細な説明】
【技術分野】
【０００１】
本発明は、端末装置、情報処理方法、情報処理プログラムおよび情報処理装置に関する。
【背景技術】
【０００２】
所有しているデジタルカメラまたはスマートフォン（以下、スマートフォン等と記載）を第三者に渡し、写真または動画（以下、写真等と記載）の撮影を依頼する場合がある。
【先行技術文献】
【特許文献】
【０００３】
【特許文献１】特開２０１５−９５０８２号公報
【発明の概要】
【発明が解決しようとする課題】
【０００４】
スマートフォン等には、所有者のプライベートに係る写真等のように第三者に閲覧させたくない非公開コンテンツも保存されていることが多い。そのため、第三者にスマートフォン等を渡した場合、非公開コンテンツが第三者によって閲覧されるおそれがある。そこで、第三者にスマートフォン等を渡す前にコンテンツに対するアクセス権の設定を行う対応も考えられるが、設定には手間や時間がかかる。また、アクセス権の設定が不適切な場合、非公開コンテンツを第三者が閲覧できてしまったり、第三者に閲覧させてもよいコンテンツの表示ができなかったりする虞がある。
【０００５】
そこで、開示の技術の１つの側面は、第三者に再生させたくないコンテンツの再生を簡易に制限できる端末装置を提供することを課題とする。
【課題を解決するための手段】
【０００６】
開示の技術の１つの側面は、次のような端末装置によって例示される。本端末装置は、記録部と制御部とを備える。記録部は、記録操作を行った操作者から取得した特徴情報と記録操作によって記録されたコンテンツとを関連付けて記録する。制御部は、記録されたコンテンツの再生を要求されると、要求者の特徴情報と一致する特徴情報に関連付けられたコンテンツを再生する。
【発明の効果】
【０００７】
本端末装置は、第三者に再生させたくないコンテンツの再生を簡易に制限することができる。
【図面の簡単な説明】
【０００８】
【図１】図１は、実施形態に係るスマートフォンの正面図の一例を示す図である。
【図２】図２は、実施形態に係るスマートフォンの背面図の一例を示す図である。
【図３】図３は、スマートフォンのハードウェア構成の一例を示す図である。
【図４】図４は、スマートフォンの処理ブロックの一例を示す図である。
【図５】図５は、被写体写真と撮影者写真とを関連付けた状態のイメージ図の一例である。
【図６】図６は、スマートフォンの所有者である本人が第三者に撮影を依頼する場合を例示する図である。
【図７】図７は、第三者がスマートフォンで本人を撮影した被写体写真を確認する場面の一例を示す図である。
【図８】図８は、被写体写真撮影時の処理フローの一例を示す図である。
【図９】図９は、図８のＯＰ２およびＯＰ３で写真を撮影する場面の一例を示す図である。
【図１０】図１０は、写真閲覧時の処理フローの一例を示す図である。
【図１１】図１１は、閲覧写真抽出部が抽出した写真を第三者が閲覧している状態を例示する図である。
【図１２】図１２は、撮影者写真を削除する処理フローの一例を示す図である。
【図１３】図１３は、指紋認証部を備えたスマートフォンの一例を示す図である。
【図１４】図１４は、第５変形例に係るシステムの一例を示す図である。
【図１５】図１５は、第５変形例に係るサーバのハードウェア構成の一例を示す図である。
【図１６】図１６は、第５変形例に係るスマートフォンの処理ブロックの一例を示す図である。
【図１７】図１７は、第５変形例に係るサーバの処理ブロックの一例を示す図である。
【図１８】図１８は、被写体写真撮影時におけるスマートフォンの処理フローの一例を示す図である。
【図１９】図１９は、被写体写真撮影時におけるサーバの処理フローの一例を示す図である。
【図２０】図２０は、写真閲覧時のスマートフォンの処理フローの一例を示す図である。
【図２１】図２１は、写真閲覧時のサーバの処理フローの一例を示す第１の図である。
【図２２】図２２は、写真閲覧時のサーバの処理フローの一例を示す第２の図である。
【発明を実施するための形態】
【０００９】
以下、図面を参照して、一実施形態に係るスマートフォンについて説明する。以下に示す実施形態の構成は例示であり、開示の技術は実施形態の構成に限定されない。
【００１０】
＜実施形態＞
実施形態では、コンテンツの再生を制限できるスマートフォンが例示される。コンテンツは、例えば、画像および音声の何れでもよい。画像は、静止画および動画のいずれでもよい。実施形態ではコンテンツとして写真が例示される。コンテンツの再生は、画像の表示および音声の再生を含む。図１および図２は、実施形態に係るスマートフォン１０の一例を示す図である。図１はスマートフォン１０の正面図の一例を示す図であり、図２はスマートフォン１０の背面図の一例を示す図である。スマートフォン１０は、携帯可能な情報処理装置である。スマートフォン１０は、その正面にインカメラ１１ａ、スピーカー１２、ディスプレイ１３、ディスプレイ１３に重畳して配置されるタッチパネル１４およびマイク１５を備える。さらに、スマートフォン１０は、その背面にアウトカメラ１１ｂを備える。ディスプレイ１３には、撮影ボタン１６が表示されている。なお、スマートフォン１０の正面とは、例えば、ディスプレイ１３を備えた側の面であり、スマートフォン１０の背面とは、例えば、ディスプレイ１３を備えた側の反対側の面である。スマートフォン１０は、「端末装置」の一例である。
【００１１】
スピーカー１２は、音声を出力するデバイスである。マイク１５は、音声の入力を受け付けるデバイスである。ディスプレイ１３は、静止画および動画を表示可能なデバイスである。タッチパネル１４は、ディスプレイ１３に重畳して設けられ、タッチ操作による入力を検出する。以下、本明細書において、タッチ操作による入力をタッチパネル１４が検出することを「タッチされた」と表記する。
【００１２】
ディスプレイ１３は、例えば、スマートフォン１０が備えるＣＰＵで処理されるデータや記憶部に記憶されたデータを出力する。ディスプレイ１３として、Liquid Crystal Display（ＬＣＤ）、Electroluminescence（ＥＬ）パネル、有機ＥＬパネルといったデバイ
スを例示できる。
【００１３】
撮影ボタン１６は、インカメラ１１ａおよびアウトカメラ１１ｂの撮影の契機となるボタンである。撮影ボタン１６は、ディスプレイ１３上に表示される。撮影ボタン１６がタッチされると、インカメラ１１ａおよびアウトカメラ１１ｂは撮影を行う。
【００１４】
アウトカメラ１１ｂは、光学カメラである。アウトカメラ１１ｂは、スマートフォン１０の背面に設けられる。アウトカメラ１１ｂは、例えば、撮影ボタン１６がタッチされることで、人物および風景等を撮影する。図２では、アウトカメラ１１ｂはスマートフォン１０の背面のうち上部に設けられているが、アウトカメラ１１ｂの位置はスマートフォン１０の背面の上部に限定されない。アウトカメラ１１ｂは、例えば、スマートフォン１０の背面の下部に設けられてもよい。アウトカメラ１１ｂは、ユーザがスマートフォン１０を把持して操作する際に、人物または風景等を撮影可能な位置に設けられればよい。アウトカメラ１１ｂは、「第１のカメラ」の一例である。
【００１５】
インカメラ１１ａは、光学カメラである。インカメラ１１ａは、スマートフォン１０の正面に設けられる。インカメラ１１ａは、例えば、撮影ボタン１６がタッチされることで、アウトカメラ１１ｂを用いて撮影を行うユーザを撮影する。図１では、インカメラ１１ａはディスプレイ１３の上部に設けられているが、インカメラ１１ａの位置はディスプレイ１３の上部に限定されない。インカメラ１１ａは、例えば、ディスプレイ１３の下部に設けられてもよい。インカメラ１１ａは、ユーザがスマートフォン１０を把持して操作する際に当該ユーザを撮影可能な位置に設けられればよい。インカメラ１１ａは、「第２のカメラ」の一例である。以下、本明細書において、インカメラ１１ａおよびアウトカメラ１１ｂを総称して、カメラ１１と称する。
【００１６】
図３は、スマートフォン１０のハードウェア構成の一例を示す図である。スマートフォン１０は、Central Processing Unit（ＣＰＵ）１０１、主記憶部１０２、補助記憶部１
０３、ディスプレイ１３、タッチパネル１４、インカメラ１１ａ、アウトカメラ１１ｂ、マイク１５および通信部１０９を備える。ＣＰＵ１０１、主記憶部１０２、補助記憶部１０３、ディスプレイ１３、タッチパネル１４、インカメラ１１ａ、アウトカメラ１１ｂ、マイク１５および通信部１０９は、接続バスＣ１によって相互に接続される。
【００１７】
スマートフォン１０では、ＣＰＵ１０１が補助記憶部１０３に記憶されたプログラムを主記憶部１０２の作業領域に展開し、プログラムの実行を通じて周辺装置の制御を行う。これにより、スマートフォン１０は、所定の目的に合致した処理を実行することができる。主記憶部１０２および補助記憶部１０３は、スマートフォン１０が読み取り可能な記録媒体である。
【００１８】
主記憶部１０２は、ＣＰＵ１０１から直接アクセスされる記憶部として例示される。主記憶部１０２は、Random Access Memory（ＲＡＭ）およびRead Only Memory（ＲＯＭ）を含む。
【００１９】
補助記憶部１０３は、各種のプログラムおよび各種のデータを読み書き自在に記録媒体に格納する。補助記憶部１０３は外部記憶装置とも呼ばれる。補助記憶部１０３には、オペレーティングシステム（Operating System、ＯＳ）、各種プログラム、各種テーブル等が格納される。ＯＳは、通信部１０９を介して接続される外部装置等とのデータの受け渡
しを行う通信インターフェースプログラムを含む。外部装置等には、例えば、コンピュータネットワーク等で接続された、他の情報処理装置および外部記憶装置が含まれる。さらに、補助記憶部１０３には、例えば、カメラ１１によって撮影された画像の画像データ、マイク１５に入力された音声の音声データが記憶される。
【００２０】
補助記憶部１０３は、例えば、Erasable Programmable ROM（ＥＰＲＯＭ）、ソリッド
ステートドライブ（Solid State Drive、ＳＳＤ）、ハードディスクドライブ（Hard Disk
Drive、ＨＤＤ）等である。また、補助記憶部１０３は、例えば、Compact Disc（ＣＤ）ドライブ装置、Digital Versatile Disc（ＤＶＤ）ドライブ装置、Blu-ray（登録商標）Disc（ＢＤ）ドライブ装置等である。また、補助記憶部１０３は、例えば、ネットワーク
上のコンピュータ群であるクラウドシステムの一部であってもよい。
【００２１】
スマートフォン１０が読み取り可能な記録媒体とは、データやプログラム等の情報を電気的、磁気的、光学的、機械的、または化学的作用によって蓄積し、スマートフォン１０から読み取ることができる記録媒体をいう。このような記録媒体のうちスマートフォン１０から取り外し可能なものとしては、例えばフレキシブルディスク、光磁気ディスク、ＣＤ−ＲＯＭ、ＣＤ−Ｒ／Ｗ、ＤＶＤ、ブルーレイディスク、ＤＡＴ、８ｍｍテープ、フラッシュメモリなどのメモリカード等がある。また、スマートフォン１０に固定された記録媒体としてハードディスク、ＳＳＤあるいはＲＯＭ等がある。
【００２２】
ディスプレイ１３は、上述の通り、ＣＰＵ１０１で処理されるデータや主記憶部１０２または補助記憶部１０３に記憶されたデータを出力する。タッチパネル１４は、上述の通り、タッチ操作による入力を受け付けるデバイスであり、ディスプレイ１３に重畳して設けられる。
【００２３】
通信部１０９は、例えば、無線または有線のコンピュータネットワークとのインターフェースである。通信部１０９は、無線または有線のコンピュータネットワークを介して外部の装置と通信を行う。
【００２４】
＜スマートフォン１０の処理ブロック＞
図４は、スマートフォン１０の処理ブロックの一例を示す図である。スマートフォン１０は、認証処理部２０１、タグ付処理部２０２、閲覧写真抽出部２０３、被写体写真保存部２０４および撮影者写真保存部２０５を備える。スマートフォン１０は、主記憶部１０２に実行可能に展開されたコンピュータプログラムをＣＰＵ１０１が実行することで、上記スマートフォン１０の、認証処理部２０１、タグ付処理部２０２、閲覧写真抽出部２０３、被写体写真保存部２０４および撮影者写真保存部２０５等の各部としての処理を実行する。ＣＰＵ１０１は、Microprocessor（ＭＰＵ）、プロセッサとも呼ばれる。ＣＰＵ１０１は、単一のプロセッサに限定される訳ではなく、マルチプロセッサ構成であってもよい。また、単一のソケットで接続される単一のＣＰＵ１０１がマルチコア構成を有していても良い。上記各部の少なくとも一部の処理は、ＣＰＵ１０１以外のプロセッサ、例えば、Digital Signal Processor（ＤＳＰ）、Graphics Processing Unit（ＧＰＵ）、数値演算プロセッサ、ベクトルプロセッサ、画像処理プロセッサ等の専用プロセッサで行われても良い。また、上記各部の少なくとも一部の処理は、集積回路（ＩＣ）、その他のディジタル回路であっても良い。また、上記各部の少なくとも一部にアナログ回路が含まれても良い。集積回路は、ＬＳＩ，Application Specific Integrated Circuit（ＡＳＩＣ），
プログラマブルロジックデバイス（ＰＬＤ）を含む。ＰＬＤは、例えば、Field-Programmable Gate Array（ＦＰＧＡ）を含む。上記各部は、プロセッサと集積回路との組み合わ
せであっても良い。組み合わせは、例えば、マイクロコントローラ（ＭＣＵ），System-on-a-chip（ＳｏＣ），システムＬＳＩ，チップセットなどと呼ばれる。
【００２５】
被写体写真保存部２０４は、アウトカメラ１１ｂによって撮影された被写体写真の画像ファイルを補助記憶部１０３に記憶させる。撮影者写真保存部２０５は、インカメラ１１ａによって撮影された撮影者写真の画像ファイルを補助記憶部１０３に記憶させる。被写体写真は、「コンテンツ」の一例である。被写体写真保存部２０４は、「記録部」の一例である。
【００２６】
タグ付処理部２０２は、アウトカメラ１１ｂによって撮影された被写体写真の画像ファイルと、当該被写体写真が撮影されたときにインカメラ１１ａによって撮影された撮影者写真の画像ファイルとを関連付ける。関連付けは、例えば、被写体写真に係る画像ファイルのExchangeable image file format（Ｅｘｉｆ）領域に撮影者写真に係る画像ファイルのパス名を登録することで行われる。Ｅｘｉｆ領域は、例えば、写真が撮影された日時を示す情報を含むメタデータを記憶する領域である。図５は、被写体写真と撮影者写真とを関連付けた状態のイメージ図の一例である。タグ付処理部２０２は、例えば、撮影者写真に係る画像ファイルのパス名をＥｘｉｆ領域に登録する。撮影者写真に係る画像ファイルのパス名がＥｘｉｆ領域に登録されることで、図５に例示されるように、被写体写真と当該被写体写真を撮影した撮影者の撮影者写真とが関連付けられる。以下、本明細書において、被写体写真に係る画像ファイルのパス名および撮影者写真に係る画像ファイルのパス名をそれぞれ被写体写真のパス名および撮影者写真のパス名とも表記する。タグ付処理部２０２は、「記録部」の一例である。
【００２７】
閲覧写真抽出部２０３は、補助記憶部１０３に記憶された被写体写真に対する閲覧要求を受け付ける。閲覧写真抽出部２０３は、被写体写真に対する閲覧要求を受け付けると、補助記憶部１０３から被写体写真の画像ファイルを読み出す。閲覧写真抽出部２０３は、読み出した被写体写真の画像ファイルに対する認証処理を認証処理部２０１に指示する。閲覧写真抽出部２０３は、認証処理部２０１によって認証された被写体写真の画像ファイルを閲覧可能な画像ファイルとして抽出する。閲覧写真抽出部２０３は、「制御部」の一例である。
【００２８】
認証処理部２０１は、インカメラ１１ａで閲覧要求者の顔を含む要求者写真を撮影する。認証処理部２０１は、撮影した要求者写真から閲覧要求者の顔の特徴情報を抽出する。認証処理部２０１は、閲覧写真抽出部２０３から認証を要求された被写体写真の画像ファイルに関連付けられた撮影者写真を抽出する。閲覧写真抽出部２０３は、抽出した撮影者写真から、撮影者の顔の特徴情報を抽出する。認証処理部２０１は、閲覧要求者の顔の特徴情報と撮影者の顔の特徴情報とが一致するか否かを判定する。認証処理部２０１は、判定結果を閲覧写真抽出部２０３に通知する。認証処理部２０１は、「制御部」の一例である。
【００２９】
図６は、スマートフォン１０の所有者である本人Ａが第三者Ｂに撮影を依頼する場合を例示する図である。図６に例示されるように、本人Ａが第三者Ｂに撮影を依頼する場合、本人Ａは、所有するスマートフォン１０を第三者Ｂに渡す。第三者Ｂは、渡されたスマートフォン１０のアウトカメラ１１ｂを本人Ａに向けて構える。アウトカメラ１１ｂが本人Ａに向けられると、スマートフォン１０のインカメラ１１ａは、第三者Ｂに向けられる。第三者Ｂは、スマートフォン１０を本人Ａに向けて構えた状態で撮影ボタン１６をタッチする。撮影ボタン１６がタッチされると、アウトカメラ１１ｂによって本人Ａの写真が撮影されるとともに、インカメラ１１ａによって第三者Ｂの写真が撮影される。
【００３０】
図７は、第三者Ｂがスマートフォン１０で本人Ａを撮影した被写体写真を確認する場面の一例を示す図である。スマートフォン１０には、第三者Ｂ以外によって撮影された写真も保存されている。スマートフォン１０に保存されている写真には、例えば、本人Ａのプライベートの写真等も含まれている。ここで、被写体写真の撮影結果の確認には、第三者
Ｂは第三者Ｂによって撮影された写真を閲覧できればよく、その他の写真は閲覧できなくともよい。そこで、実施形態に係るスマートフォン１０は、第三者Ｂに対して、第三者Ｂによって撮影された写真の閲覧を許可するとともに、その他の写真の閲覧を禁止する。以下、図面を参照して、実施形態に係る撮影時および閲覧時における処理フローについて説明する。
【００３１】
＜撮影時の処理フロー＞
図８は、被写体写真撮影時の処理フローの一例を示す図である。図８の処理は、例えば、撮影を依頼された第三者Ｂが撮影ボタン１６をタッチした場合に実行される。
【００３２】
ＯＰ１では、撮影者写真保存部２０５は、インカメラ１１ａのピントを撮影者である第三者Ｂに合わせる。ＯＰ２では、撮影者写真保存部２０５は、インカメラ１１ａによって撮影者の写真である撮影者写真を撮影する。ここでは撮影者は第三者Ｂであるため、インカメラ１１ａは、撮影者写真として第三者Ｂの写真を撮影する。撮影者写真保存部２０５は、撮影した第三者Ｂの撮影者写真を補助記憶部１０３に記憶させる。第三者Ｂは、「記録操作を行った操作者」の一例である。撮影者写真は、「記録操作を行った操作者から取得した特徴情報」の一例である。
【００３３】
ＯＰ３では、被写体写真保存部２０４は、アウトカメラ１１ｂが向けられた被写体の被写体写真を撮影する。ここでは、アウトカメラ１１ｂは本人Ａに向けられているため、アウトカメラ１１ｂは本人Ａの被写体写真を撮影する。被写体写真保存部２０４は、撮影した本人Ａの被写体写真を補助記憶部１０３に記憶させる。図９は、図８のＯＰ２およびＯＰ３で写真を撮影する場面の一例を示す図である。図９に例示されるように、第三者Ｂによって撮影ボタン１６がタッチされると、第三者Ｂに向けられたインカメラ１１ａは第三者Ｂの撮影者写真を撮影し、本人Ａに向けられたアウトカメラ１１ｂは本人Ａの被写体写真を撮影する。撮影ボタン１６をタッチして被写体写真の撮影する操作は、「記録操作」の一例である。
【００３４】
ＯＰ４では、タグ付処理部２０２は、ＯＰ３で撮影した本人Ａの被写体写真とＯＰ２で撮影した第三者Ｂの撮影者写真とを関連付ける。関連付けは、例えば、第三者Ｂの撮影者写真のパス名を本人Ａの被写体写真の画像データに係るＥｘｉｆ領域に登録することで行われる。
【００３５】
＜閲覧時の処理フロー＞
図１０は、写真閲覧時の処理フローの一例を示す図である。以下、図１０を参照して、写真閲覧時の処理フローの一例について説明する。
【００３６】
ＯＰ１１では、閲覧写真抽出部２０３は、写真の閲覧要求を受信する。閲覧写真抽出部２０３は、認証処理部２０１に対し、インカメラ１１ａを用いて閲覧要求を行った第三者Ｂを撮影するよう指示する。認証処理部２０１は、インカメラ１１ａを用いて閲覧要求を行った第三者Ｂの顔写真を撮影する。認証処理部２０１は、撮影した写真から第三者Ｂの顔の特徴情報を抽出する。ＯＰ１２では、閲覧写真抽出部２０３は、写真の閲覧が終了したか否かを判定する。写真の閲覧が終了する場合は、例えば、写真を閲覧させる閲覧プログラムの終了によって例示される。閲覧が終了する場合（ＯＰ１２でＹＥＳ）、閲覧は終了する。閲覧が終了しない場合（ＯＰ１２でＮＯ）、処理はＯＰ１３へ進められる。
【００３７】
ＯＰ１３では、閲覧写真抽出部２０３は、補助記憶部１０３に被写体写真が記憶されているか否かを判定する。被写体写真が記憶されていない場合（ＯＰ１３でＮＯ）、処理はＯＰ１２に進められる。被写体写真が記憶されている場合（ＯＰ１３でＹＥＳ）、処理はＯＰ１４へ進められる。
【００３８】
ＯＰ１４では、閲覧写真抽出部２０３は、補助記憶部１０３に記憶されている被写体写真をひとつ読み出す。閲覧写真抽出部２０３は、読み出した被写体写真の認証を認証処理部２０１に要求する。認証処理部２０１は、認証を要求された被写体写真に関連付けられた撮影者写真に含まれる撮影者の顔の特徴情報を抽出する。
【００３９】
ＯＰ１５では、認証処理部２０１は、ＯＰ１１で抽出した特徴情報と、ＯＰ１４で抽出した特徴情報とが一致するか否かを判定する。一致する場合（ＯＰ１５でＹＥＳ）、処理はＯＰ１６に進められる。一致しない場合（ＯＰ１５でＮＯ）、処理はＯＰ１３に進められる。
【００４０】
ＯＰ１６では、閲覧写真抽出部２０３は、ＯＰ１４で読み出した被写体写真を閲覧可能な写真としてディスプレイ１３に出力する。ＯＰ１３からＯＰ１６の処理により、ＯＰ１１で抽出した特徴情報と、ＯＰ１４で抽出した特徴情報とが一致する写真がディスプレイ１３に出力される。図１１は、閲覧写真抽出部２０３が抽出した写真を第三者Ｂが閲覧している状態を例示する図である。第三者Ｂは、閲覧写真抽出部２０３および認証処理部２０１によって第三者Ｂが撮影したと判定された写真の閲覧が可能である。一方、閲覧写真抽出部２０３および認証処理部２０１によって第三者Ｂが撮影したと判定されなかった写真の閲覧は制限される。
【００４１】
＜撮影者写真削除の処理フロー＞
第三者Ｂによる被写体写真の確認が終わった後になっても、第三者Ｂの撮影者写真をスマートフォン１０に記憶したままにしておくことは第三者Ｂのプライバシーを保護する観点から好ましくない場合がある。さらに、撮影を依頼した第三者Ｂが通りすがりの他人である場合、撮影後に被写体写真の確認ができればよいと思われる。一方、撮影を依頼した第三者Ｂが本人Ａの家族または友人等である場合には、第三者Ｂが被写体写真を閲覧可能な状態を維持した方が好ましい場合もある。そこで、実施形態に係るスマートフォン１０は、一定時間経過後に撮影者写真を削除する処理を実行する。さらに、実施形態に係るスマートフォン１０は、保持の設定がされた撮影者写真に関しては、一定時間を経過しても当該撮影者写真を削除しない。図１２は、撮影者写真を削除する処理フローの一例を示す図である。図１２を参照して、撮影者写真を削除する処理フローの一例について説明する。
【００４２】
ＯＰ２１では、タグ付処理部２０２は、補助記憶部１０３を参照して、処理対象となる被写体写真があるか否かを判定する。処理対象となる被写体写真とは、例えば、保持の設定が行われていない被写体写真である。保持の設定については、後述する。処理対象となる被写体写真がある場合（ＯＰ２１でＹＥＳ）、処理はＯＰ２２へ進められる。処理対象となる被写体写真が無い場合（ＯＰ２１でＮＯ）、図１２の処理フローは終了する。
【００４３】
ＯＰ２２では、タグ付処理部２０２は、補助記憶部１０３に記憶されている被写体写真をひとつ読み出す。タグ付処理部２０２は、読み出した被写体写真に関連付けられた撮影者写真があるか否かを判定する。この判定では、例えば、被写体写真のＥｘｉｆ情報に撮影者写真のパス名が登録されている場合には、被写体写真に関連付けられた撮影者写真があると判定される。また、この判定では、例えば、被写体写真のＥｘｉｆ情報に撮影者写真のパス名が登録されていない場合には、被写体写真に関連付けられた撮影者写真がないと判定される。被写体写真に関連付けられた撮影者写真がある場合（ＯＰ２２でＹＥＳ）、処理はＯＰ２３に進められる。被写体写真に関連付けられた撮影者写真がない場合（ＯＰ２２でＮＯ）、処理はＯＰ２１に進められる。
【００４４】
ＯＰ２３では、タグ付処理部２０２は、ＯＰ２２で読み出した被写体写真に保持の設定
がされているか否かを判定する。この判定では、例えば、被写体写真のＥｘｉｆ情報に保持を示す情報が登録されている場合、保持の設定がされていると判定される。また、この判定では、例えば、被写体写真のＥｘｉｆ情報に保持を示す情報が登録されていない場合、保持の設定がされていないと判定される。保持の設定がされている場合（ＯＰ２３でＹＥＳ）、処理はＯＰ２１に進められる。保持の設定がされていない場合（ＯＰ２３でＮＯ）、処理はＯＰ２４に進められる。
【００４５】
ＯＰ２４では、タグ付処理部２０２は、ＯＰ２２で読み出した被写体写真が撮影されてから一定時間を経過しているか否かを判定する。一定時間は、例えば、第三者Ｂによって被写体写真が撮影されてから、第三者Ｂが撮影した被写体写真の確認を終えるまでの時間を想定して適宜定められればよい。一定時間を経過している場合（ＯＰ２４でＹＥＳ）、処理はＯＰ２７に進められる。一定時間を経過していない場合（ＯＰ２４でＮＯ）、処理はＯＰ２５に進められる。
【００４６】
ＯＰ２５では、タグ付処理部２０２は、保持の設定を要求されたか否かを判定する。保持の設定の要求は、例えば、タッチパネル１４に対するタッチ操作によって受け付けることが可能である。保持の設定の要求を受け付けた場合（ＯＰ２５でＹＥＳ）、処理はＯＰ２６に進められる。保持の設定の要求を受け付けなかった場合（ＯＰ２５でＮＯ）、処理はＯＰ２７に進められる。
【００４７】
ＯＰ２６では、タグ付処理部２０２は、ＯＰ２２で読み出した被写体写真に保持の設定を行う。タグ付処理部２０２は、例えば、被写体写真のＥｘｉｆ情報に保持を示す情報を登録する。
【００４８】
ＯＰ２７では、タグ付処理部２０２は、ＯＰ２２で読み出した被写体写真のＥｘｉｆ領域から撮影者写真のパス名を削除する。さらに、タグ付処理部２０２は、いずれの被写体写真とも関連付けられていない撮影者写真を撮影者写真保存部２０５から削除する。その後、処理はＯＰ２１に進められる。
【００４９】
＜実施形態の作用効果＞
実施形態では、タグ付処理部２０２が、被写体写真と被写体写真を撮影した撮影者の撮影者写真とを関連付けた。閲覧写真抽出部２０３は、閲覧要求を受け付けると、閲覧要求を行った閲覧要求者の顔を含む写真を撮影した。認証処理部２０１は撮影した閲覧要求者の写真から閲覧要求者を特定する特徴情報を抽出した。さらに、認証処理部２０１は、被写体写真に関連付けられた撮影者写真から撮影者の特徴情報を抽出した。閲覧写真抽出部２０３は、撮影者の特徴情報と閲覧要求者の特徴情報とが一致する被写体写真を閲覧可能と判定し、一致しない被写体写真を閲覧不可と判定した。そのため、実施形態によれば、閲覧要求者に対して、閲覧要求者によって撮影されていない写真の閲覧を簡易に制限する事ができる。換言すれば、閲覧要求者によって撮影されていない写真の閲覧を煩わしい設定を行わずに制限する事ができる。
【００５０】
実施形態では、撮影ボタン１６がタッチされると、インカメラ１１ａによって撮影者の顔を含む撮影者写真が撮影された。撮影された撮影者写真は被写体写真の閲覧要求の認証に用いられた。そのため、実施形態によれば、アクセス権の設定を行わなくとも、被写体写真の閲覧を制限できる。また、実施形態によれば、アクセス権の設定を行わなくとも、被写体写真を撮影した撮影者に対して閲覧が許可される。さらに、撮影者の顔を含む撮影者写真を特徴情報として使用することにより、指紋認証装置等の追加装置を用いなくとも被写体写真の閲覧を制限できる。
【００５１】
実施形態では、被写体写真の撮影後から一定時間経過すると、被写体写真に対応づけら
れた撮影者写真が削除された。そのため、実施形態によれば、被写体写真を撮影した撮影者の撮影者写真が削除されることにより、撮影者のプライバシーに配慮できる。
【００５２】
実施形態では、保持の設定を行うことにより、被写体写真の撮影後から一定時間経過しても、被写体写真に関連付けられた撮影者写真を削除しない。そのため、実施形態によれば、保持の設定が行われた撮影者写真によって特定される撮影者は、一定時間経過後でも被写体写真の閲覧ができる。
【００５３】
＜第１変形例＞
実施形態では、タグ付処理部２０２は、被写体写真のＥｘｉｆ領域に撮影者写真のパス名を登録することで、被写体写真と撮影者との関連付けを行った。しかしながら、被写体写真と撮影者との関連付けは、このような方式に限定されない。被写体写真と撮影者との関連付けは、例えば、撮影者を撮影した写真から抽出した特徴情報を示すデータを被写体写真のＥｘｉｆ領域に登録してもよい。また、被写体写真と撮影者との関連付けは、例えば、被写体写真のパス名と撮影者写真のパス名とを関連付けるテーブルを補助記憶部１０３に記憶させてもよい。
【００５４】
＜第２変形例＞
実施形態では、撮影者の特徴情報として、顔の特徴情報が用いられた。しかしながら、撮影者の特徴情報は顔の特徴情報に限定されない。撮影者の特徴情報として、例えば、撮影者の指紋が採用されてもよい。図１３は、指紋認証部１７を備えたスマートフォン１０ａの一例を示す図である。指紋認証部１７は、指紋認証部１７に重畳された指から指紋を読み取るデバイスである。スマートフォン１０ａは、撮影者を特定する情報として指紋が採用される場合、被写体写真の撮影時に指紋認証部１７に重畳された指紋を読み取り、読み取った指紋と撮影した被写体写真とを関連付ければよい。さらに、撮影者の特徴情報は、虹彩または声紋その他の生体情報であってもよい。
【００５５】
＜第３変形例＞
実施形態はスマートフォン１０によって例示されたが、実施形態は他の情報処理装置によって例示されてもよい。他の情報処理装置は、例えば、タブレットPersonal Computer
（タブレットＰＣ）、ノートパソコン、デジタルカメラ、デジタルビデオカメラ、携帯電話またはボイスレコーダーである。
【００５６】
＜第４変形例＞
実施形態では、閲覧要求者によって撮影されていない被写体写真の閲覧が制限された。しかしながら、閲覧が制限されるのは被写体写真に限定されず、例えば、動画の閲覧が制限されてもよい。この場合、動画ファイルと動画を撮影した撮影者の特徴情報とを関連付ければよい。また、音声データの再生が制限されてもよい。音声データの再生を制限する場合、音声データと当該音声データを録音した者の特徴情報とを関連付ければよい。
【００５７】
＜第５変形例＞
実施形態では、撮影された写真はスマートフォン１０の補助記憶部１０３に記憶された。また、実施形態では、スマートフォン１０が写真閲覧時の認証等を行った。第５変形例では、撮影した写真をネットワークで接続されたストレージに保存する。さらに、第５変形例では、写真が保存されたストレージにアクセス可能なサーバが認証等の処理を実施する。実施形態および第１変形例〜第４変形例と同一の構成要素については同一の符号を付し、その説明を省略する。以下、図面を参照して第５変形例について説明する。
【００５８】
図１４は、第５変形例に係るシステム３０の一例を示す図である。システム３０は、スマートフォン１０ｂおよびサーバ３１を含む。サーバ３１は、ストレージ３２を含む。ス
マートフォン１０ｂおよびサーバ３１は、ネットワークＮ１によって相互に接続される。
【００５９】
ネットワークＮ１は、情報処理装置を相互に通信可能に接続するネットワークである。ネットワークＮ１は、無線であっても有線であってもよい。ネットワークＮ１は、例えば、インターネットである。
【００６０】
スマートフォン１０ｂは、撮影した写真をサーバ３１に送信したり、写真閲覧時の認証処理をサーバ３１に依頼する点で、実施形態に係るスマートフォン１０と異なる。スマートフォン１０ｂは、例えば、図３に例示されるハードウェア構成と同一の構成を有する。
【００６１】
サーバ３１は、例えば、スマートフォン１０ｂよりも高速なＣＰＵ、大容量のメモリおよび高い耐障害性を備えた情報処理装置である。サーバ３１は、スマートフォン１０ｂからのログイン要求を受け付ける。スマートフォン１０ｂから送信された写真の画像ファイルをストレージ３２に格納する。サーバ３１は、「情報処理装置」の一例である。
【００６２】
ストレージ３２は、記憶装置である。ストレージ３２は、例えば、複数のＨＤＤを組み合わせて冗長化されたRedundant Arrays of Independent Disks（ＲＡＩＤ）システムで
ある。ストレージ３２は、例えば、Universal Serial Bus（ＵＳＢ）、Fibre Channel（
ＦＣ）、Small Computer System Interface（ＳＣＳＩ）、Internet Small Computer System Interface（ｉＳＣＳＩ）によってサーバ３１と接続される。ストレージ３２上の記
憶領域は、サーバ３１にログインするアカウントに対応付けられた領域を含む。以下、本明細書において、ログインしたアカウントに対応付けられた領域は、アカウント領域と称する。サーバ３１から受信した画像ファイルは、アカウント領域に格納される。ストレージ３２は、「記録部」の一例である。
【００６３】
＜ハードウェア構成＞
図１５は、第５変形例に係るサーバ３１のハードウェア構成の一例を示す図である。サーバ３１は、ＣＰＵ１０１、主記憶部１０２、補助記憶部１０３および通信部１０９を備える。サーバ３１において、ＣＰＵ１０１、主記憶部１０２、補助記憶部１０３および通信部１０９は、接続バスＢ１によって相互に接続される。サーバ３１の補助記憶部１０３は、記憶装置であるストレージ３２を含む。
【００６４】
サーバ３１は、例えば、ユーザ等からの操作指示等を受け付ける入力部をさらに備えてもよい。このような入力部として、キーボード、ポインティングデバイス、タッチパネル、加速度センサーあるいは音声入力装置といった入力デバイスを例示できる。
【００６５】
サーバ３１は、例えば、ＣＰＵ１０１で処理されるデータや主記憶部１０２に記憶されるデータを出力する出力部を備えるものとしてもよい。このような、出力部として、Cathode Ray Tube（ＣＲＴ）ディスプレイ、Liquid Crystal Display（ＬＣＤ）、Plasma Display Panel（ＰＤＰ）、Electroluminescence（ＥＬ）パネル、有機ＥＬパネルあるいは
プリンタといった出力デバイスを例示できる。
【００６６】
＜処理ブロック＞
図１６は、第５変形例に係るスマートフォン１０ｂの処理ブロックの一例を示す図である。図１６では、ログイン要求部２０１ａ、タグ付依頼部２０２ｂ、抽出依頼部２０３ｂ、被写体写真撮影部２０４ｂおよび撮影者写真撮影部２０５ｂが例示されている。
【００６７】
ログイン要求部２０１ａは、サーバ３１に対してログインを要求する。ログインの要求は、例えば、ユーザＩＤおよびパスワードの組を含むログイン要求を送信することで行われる。
【００６８】
被写体写真撮影部２０４ｂは、アウトカメラ１１ｂによって被写体写真を撮影する。撮影者写真撮影部２０５ｂは、インカメラ１１ａによって撮影者写真を撮影する。
【００６９】
タグ付依頼部２０２ｂは、アウトカメラ１１ｂによって撮影された被写体写真の画像ファイルと、当該被写体写真が撮影されたときにインカメラ１１ａによって撮影された撮影者写真の画像ファイルとの関連付けをサーバ３１に依頼する。
【００７０】
抽出依頼部２０３ｂは、被写体写真に対する閲覧要求を受け付ける。抽出依頼部２０３ｂは、被写体写真に対する閲覧要求を受け付けると、インカメラ１１ａで閲覧要求者の顔を含む要求者写真を撮影する。抽出依頼部２０３ｂは、撮影した要求者写真をサーバ３１に送信して閲覧可能な被写体写真の抽出をサーバ３１に対して依頼する。
【００７１】
図１７は、第５変形例に係るサーバ３１の処理ブロックの一例を示す図である。図１７では、認証処理部３０１、タグ付処理部３０２、閲覧写真抽出部３０３、写真保存部３０４およびログイン受付部３０５が例示されている。以下、図１７を参照して、サーバ３１の処理ブロックの一例について説明する。
【００７２】
認証処理部３０１は、スマートフォン１０ｂから要求者写真を受信する。認証処理部３０１は、受信した要求者写真から閲覧要求者の顔の特徴情報を抽出する。認証処理部３０１は、スマートフォン１０ｂから認証を要求された被写体写真の画像ファイルに関連付けられた撮影者写真を抽出する。閲覧写真抽出部３０３は、抽出した撮影者写真から、撮影者の顔の特徴情報を抽出する。認証処理部３０１は、閲覧要求者の顔の特徴情報と撮影者の顔の特徴情報とが一致するか否かを判定する。
【００７３】
タグ付処理部３０２は、スマートフォン１０ｂから受信した被写体写真の画像ファイルと、撮影者写真の画像ファイルとを関連付ける。関連付けは、例えば、被写体写真に係る画像ファイルのＥｘｉｆ領域に撮影者写真に係る画像ファイルのUniform Resource Identifier（ＵＲＩ）を登録することで行われる。Ｅｘｉｆ領域は、例えば、写真が撮影され
た日時を示す情報を含むメタデータを記憶する領域である。以下、本明細書において、被写体写真に係る画像ファイルのＵＲＩおよび撮影者写真に係る画像ファイルのＵＲＩをそれぞれ被写体写真のＵＲＩおよび撮影者写真のＵＲＩとも表記する。
【００７４】
閲覧写真抽出部３０３は、被写体写真に対する閲覧要求を受け付ける。閲覧写真抽出部３０３は、被写体写真に対する閲覧要求を受け付けると、ストレージ３２から被写体写真を読み出す。閲覧写真抽出部３０３は、読み出した被写体写真に対する認証処理を認証処理部３０１に指示する。閲覧写真抽出部３０３は、認証処理部３０１によって認証された被写体写真の画像ファイルを閲覧可能な画像ファイルとしてスマートフォン１０ｂに送信する。
【００７５】
写真保存部３０４は、スマートフォン１０ｂから受信した被写体写真の画像ファイルおよび撮影者写真の画像ファイルをストレージ３２に格納する。
【００７６】
ログイン受付部３０５は、スマートフォン１０ｂからのログイン要求を受け付ける。ログイン受付部３０５は、例えば、ログイン要求に含まれるユーザＩＤおよびパスワードの組と、サーバ３１が記憶しているユーザＩＤおよびパスワードの組が一致するか否かでログイン認証を行う。
【００７７】
＜処理フロー＞
図１８〜図２２は、第５変形例の処理フローの一例を示す図である。以下、図１８〜図
２２を参照して第５変形例の処理フローの一例について説明する。
【００７８】
図１８は、被写体写真撮影時におけるスマートフォン１０ｂの処理フローの一例を示す図である。図１８は、図８で説明した処理を第５変形例に合わせて変形したものとなっている。以下、図１８を参照して、被写体写真撮影時におけるスマートフォン１０ｂの処理フローの一例について説明する。
【００７９】
ＳＰ１では、ログイン要求部２０１ａは、サーバ３１に対してログイン要求を送信することでログインを要求する。ログインに成功した場合（ＳＰ２でＹＥＳ）、処理はＳＰ３に進められる。ログインに失敗した場合（ＳＰ２でＮＯ）、サーバ３１からログイン失敗が通知され、処理は終了する。
【００８０】
ＳＰ３では、撮影者写真撮影部２０５ｂは、インカメラ１１ａによって撮影者の写真である撮影者写真を撮影する。撮影者は、図８と同様に第三者Ｂであるものとする。そのため、インカメラ１１ａは、撮影者写真として第三者Ｂの写真を撮影する。撮影者写真撮影部２０５ｂは、撮影した第三者Ｂの撮影者写真をスマートフォン１０ｂの主記憶部１０２に一時的に記憶する。
【００８１】
ＳＰ４では、被写体写真撮影部２０４ｂは、アウトカメラ１１ｂが向けられた被写体の被写体写真を撮影する。被写体は、図８と同様に本人Ａであるものとする。そのため、アウトカメラ１１ｂは本人Ａの被写体写真を撮影する。被写体写真撮影部２０４ｂは、撮影した本人Ａの被写体写真をスマートフォン１０ｂの主記憶部１０２に一時的に記憶する。
【００８２】
ＳＰ５では、タグ付依頼部２０２ｂは、主記憶部１０２に一時的に記憶された被写体写真と撮影者写真との関連付けを要求する関連付け要求をサーバ３１に送信する。関連付け要求には、被写体写真と撮影者写真とが含まれる。ＳＰ５で送信される関連付け要求は、「格納要求」の一例である。
【００８３】
図１９は、被写体写真撮影時におけるサーバ３１の処理フローの一例を示す図である。以下、図１９を参照して、被写体写真撮影時におけるサーバ３１の処理フローの一例について説明する。
【００８４】
ＳＰ１１では、ログイン受付部３０５は、スマートフォン１０ｂからのログイン要求を受け付ける。ＳＰ１１で受け付けるログイン要求は、例えば、図１８のＳＰ１においてスマートフォン１０ｂから送信される。ログインに成功した場合（ＳＰ１２でＹＥＳ）、処理はＳＰ１３に進められる。ログインに失敗した場合（ＳＰ１２でＮＯ）、処理はＳＰ１６に進められる。
【００８５】
ＳＰ１３では、写真保存部３０４は、スマートフォン１０ｂから送信された被写体写真および撮影者写真を受信する。ＳＰ１３の処理を実行する写真保存部３０４は、「受信部」の一例である。
【００８６】
ＳＰ１４では、写真保存部３０４は、受信した被写体写真と撮影者写真とをストレージ３２上のアカウント領域に格納する。ＳＰ１５では、タグ付処理部３０２は、ＳＰ１４でストレージ３２に格納された被写体写真と撮影者写真とを関連付ける。関連付けは、例えば、撮影者写真のＵＲＩを被写体写真の画像データに係るＥｘｉｆ領域に登録することで行われる。ＳＰ１４の処理を実行する写真保存部３０４およびＳＰ１５の処理を実行するタグ付処理部３０２は、「記録部」の一例である。
【００８７】
図２０は、写真閲覧時のスマートフォン１０ｂの処理フローの一例を示す図である。図
１８と同一の処理については同一の符号を付し、その説明を省略する。以下、図２０を参照して、写真閲覧時のスマートフォン１０ｂの処理フローの一例について説明する。
【００８８】
ＳＰ２の処理は、ログイン成功（ＳＰ２でＹＥＳ）の場合に処理がＳＰ２１に進むことを除いて図１８のＳＰ２の処理と同一である。そのため、その説明を省略する。
【００８９】
ＳＰ２１では、抽出依頼部２０３ｂは、第三者Ｂからの写真の閲覧要求を受け付ける。抽出依頼部２０３ｂは、インカメラ１１ａを用いて閲覧要求を行った第三者Ｂの顔写真を撮影する。
【００９０】
ＯＰ２２では、抽出依頼部２０３ｂは、ＯＰ４１で撮影した第三者Ｂの顔写真を含む抽出依頼をサーバ３１に送信する。ＯＰ２２で送信される抽出依頼は、「再生要求」の一例である。
【００９１】
ＯＰ２３では、抽出依頼部２０３ｂは、サーバ３１によって抽出された閲覧対象となる写真を受信する。ＯＰ２４では、抽出依頼部２０３ｂは、ＯＰ４３で受信した写真をディスプレイ１３に表示する。
【００９２】
図２１および図２２は、写真閲覧時のサーバ３１の処理フローの一例を示す図である。図１９と同一の処理については同一の符号を付し、その説明を省略する。図２１の「Ａ」、「Ｂ」、「Ｃ」は、それぞれ図２２の「Ａ」、「Ｂ」、「Ｃ」と接続する。以下、図２１を参照して、写真閲覧時のサーバ３１の処理フローの一例について説明する。
【００９３】
ＳＰ１２の処理は、ログイン成功（ＳＰ１２でＹＥＳ）の場合に処理がＳＰ３１に進むことを除いて図１９のＳＰ１２の処理と同一である。そのため、その説明を省略する。
【００９４】
ＳＰ３１では、認証処理部３０１は、閲覧対象となる写真の抽出依頼をスマートフォン１０ｂから受信する。認証処理部３０１は、受信した抽出依頼に含まれる第三者Ｂの顔写真から第三者Ｂの顔の特徴情報を抽出する。
【００９５】
ＳＰ３２では、閲覧写真抽出部３０３は、アカウント領域から被写体写真をひとつ読み出す。閲覧写真抽出部３０３は、読み出した被写体写真の認証を認証処理部３０１に要求する。認証処理部３０１は、認証を要求された被写体写真に関連付けられた撮影者写真に含まれる撮影者の顔の特徴情報を抽出する。
【００９６】
ＯＰ３３では、認証処理部３０１は、ＯＰ３１で抽出した特徴情報と、ＯＰ３２で抽出した特徴情報とが一致するか否かを判定する。一致する場合（ＯＰ３３でＹＥＳ）、処理はＯＰ３４に進められる。一致しない場合（ＯＰ３３でＮＯ）、処理はＯＰ３２に進められる。
【００９７】
ＯＰ３４では、閲覧写真抽出部３０３は、ＯＰ３２で読み出した被写体写真を閲覧可能な写真としてサーバ３１の主記憶部１０２に一時的に記憶しておく。アカウント領域に格納された全ての被写体写真についてＳＰ３３の判定が完了した場合（ＳＰ３５でＹＥＳ）、処理はＳＰ３６に進められる。ＳＰ３３の判定が未完了の被写体写真がアカウント領域にある場合（ＳＰ３５でＮＯ）、処理はＳＰ３２に進められる。
【００９８】
ＯＰ３６では、閲覧写真抽出部３０３は、ＳＰ３４の処理で主記憶部１０２に一時的に記憶された被写体写真をスマートフォン１０ｂに送信する。ＯＰ３６の処理を実行する閲覧写真抽出部３０３は、「返送部」の一例である。
【００９９】
第５変形例では、スマートフォン１０ｂは、撮影した被写体写真および撮影者写真をサーバ３１に送信した。サーバ３１は、受信した被写体写真および撮影者写真をストレージ３２に格納した。そのため、第５変形例にかかるスマートフォン１０ｂは、補助記憶部１０３の記憶容量が実施形態にかかるスマートフォン１０よりも少なくともよい。また、スマートフォン１０ｂの故障や紛失等が発生しても、撮影した被写体写真が無くなることを抑制できる。
【０１００】
第５変形例では、閲覧時に使用されるスマートフォンが撮影時に使用されたスマートフォン１０ｂと異なっていてもよい。サーバ３１は、撮影時に使用されたスマートフォン１０ｂと異なるスマートフォン（以下、スマートフォン１０ｃと称する）から抽出要求を受信する。サーバ３１は、抽出要求に含まれる特徴情報と一致する特徴情報と関連付けられた被写体写真を抽出する。サーバ３１は、抽出した被写体写真を抽出要求の送信元装置であるスマートフォン１０ｃに返送する。その結果、スマートフォン１０ｃは、抽出された写真を表示できる。
【０１０１】
第５変形例では、撮影者写真から特徴情報を抽出する処理をサーバ３１が実施した。そのため、第５変形例によれば、スマートフォン１０ｂの処理負荷を低減できる。
【０１０２】
以上で開示した実施形態や変形例はそれぞれ組み合わせる事ができる。
【符号の説明】
【０１０３】
１０・・・スマートフォン
１１・・・カメラ
１１ａ・・・インカメラ
１１ｂ・・・アウトカメラ
１２・・・スピーカー
１３・・・ディスプレイ
１４・・・タッチパネル
１５・・・マイク
１６・・・撮影ボタン
１７・・・指紋認証部
３０・・・システム
３１・・・サーバ
３２・・・ストレージ
Ｎ１・・・ネットワーク
１０１・・・ＣＰＵ
１０２・・・主記憶部
１０３・・・補助記憶部
１０９・・・通信部
Ｃ１、Ｂ１・・・接続バス
２０１・・・認証処理部
２０２・・・タグ付処理部
２０３・・・閲覧写真抽出部
２０４・・・被写体写真保存部
２０５・・・撮影者写真保存部
【図１】
2018128958.tif 000003
【図２】
2018128958.tif 000004
【図３】
2018128958.tif 000005
【図４】
2018128958.tif 000006
【図５】
2018128958.tif 000007
【図６】
2018128958.tif 000008
【図７】
2018128958.tif 000009
【図８】
2018128958.tif 000010
【図９】
2018128958.tif 000011
【図１０】
2018128958.tif 000012
【図１１】
2018128958.tif 000013
【図１２】
2018128958.tif 000014
【図１３】
2018128958.tif 000015
【図１４】
2018128958.tif 000016
【図１５】
2018128958.tif 000017
【図１６】
2018128958.tif 000018
【図１７】
2018128958.tif 000019
【図１８】
2018128958.tif 000020
【図１９】
2018128958.tif 000021
【図２０】
2018128958.tif 000022
【図２１】
2018128958.tif 000023
【図２２】
2018128958.tif 000024